(57)【要約】【課題】浴室の壁面に取り付けられる２本一組の握りバーがカウンターキャリア機能を有することにより、施工性及び掃除性を向上させること。【解決手段】浴槽１近くの壁面２に、２本一組の握りバー３,３を所定間隔Ｂをあけて取り付ける。上下両端部３ａ,３ｂが壁面２に固定された各々の握りバー３,３の下端部側に、洗い場の壁面下部から前方Ｆに略水平に突出してカウンター天板５が着脱自在に設置可能な奥行き寸法Ａを有する水平突出部６を設けた。【選択図】図１
2009261626.tif 000002
【特許請求の範囲】
【請求項１】
浴室内の浴槽近くの壁面に、２本一組の握りバーが左右方向に所定間隔をあけて取り付けられ、上下両端部が壁面に固定された各々の握りバーの下端部側に、洗い場の壁面下部から前方に略水平に突出してカウンター天板が着脱自在に設置可能な奥行き寸法を有する水平突出部を設けたことを特徴とする浴室構造。
【請求項２】
前記水平突出部の前端部から上方に向かって延び且つ下端側から上端側に行くほど壁面に近づく方向に傾斜して風呂蓋を斜めに載置できる長さ寸法を有する傾斜部と、前記傾斜部に沿わせて載置した風呂蓋の下縁部を保持する突起部とを設けたことを特徴とする請求項１記載の浴室構造。
【請求項３】
前記突起部にシャワーヘッドを引っ掛けるフック部を設けたことを特徴とする請求項２記載の浴室構造。 
【発明の詳細な説明】
【技術分野】
【０００１】
本発明は、２本一組の握りバーとカウンター天板と風呂蓋等の浴室構成部材を備えた浴室構造に関するものである。
【背景技術】
【０００２】
浴室内では、入浴中に、洗体、洗顔、洗髪等の行為がなされる。このため、浴室の洗い場側には、これらの行為が容易にできるように、洗面器やシャンプー等の小物載置用のカウンター天板が設置される場合が多い。
【０００３】
一般にカウンター天板５を取り付ける場合、図４（ａ）（ｂ）に示すように、壁面２に沿ってカウンターキャリア１０を取り付け、その上面にカウンター天板５を設置して固定している（例えば、特許文献１参照）。
【０００４】
しかしながら上記特許文献１に見られる従来例では、カウンター天板５を下支えするカウンターキャリア１０を壁面２にビス等の固着具を用いて取り付ける必要があり、施工に手間がかかり、コストアップを招き、そのうえカウンター天板５の下にカウンターキャリア１０が存在するため、カウンター天板５の下方の清掃がしづらいという課題を有していた。
【０００５】
一方、風呂蓋７を使用しないときは、図５に示すように、風呂蓋７を浴槽１周辺に立てかけて壁面２に取り付けたハンガー１１に引っ掛けることにより、風呂蓋７が倒れこまないように保持する場合がある（特許文献２）。
【０００６】
しかしながら上記特許文献２に見られる従来例では、ハンガー１１が壁面２から突出しているため、入浴時に邪魔になり、外観が見苦しくなるなど、入浴感を損なうものとなる。そのうえ壁に窓を設けたり、テレビ等のオプションを取り付けた場合は、風呂蓋７の置き場所がなくなるという課題もあった。
【特許文献１】特開２００５−５２３０９号公報
【特許文献２】特開２０００−３０８５９１号公報
【発明の開示】
【発明が解決しようとする課題】
【０００７】
本発明は上記の従来の問題点に鑑みて発明したものであって、その課題とするところは、浴室の壁面に取り付けられる２本一組の握りバーがカウンターキャリア機能を有することができ、施工性及び掃除性を向上させることができる浴室構造を提供することにあり、さらに２本一組の握りバーに風呂蓋収納機能やシャワーフック機能を持たせることができる浴室構造を提供することにある。
【課題を解決するための手段】
【０００８】
前記の課題を解決するために、本発明は、浴室内の浴槽１近くの壁面２に、２本一組の握りバー３,３が左右方向Ｇに所定間隔Ｂをあけて取り付けられ、上下両端部３ａ,３ｂが壁面２に固定された各々の握りバー３,３の下端部３ｂ側に、洗い場の壁面下部から前方Ｆに略水平に突出してカウンター天板５が着脱自在に設置可能な奥行き寸法Ａを有する水平突出部６を設けたことを特徴としている。
【０００９】
このような構成とすることで、浴槽１に出入りする入浴者が両手で２本の握りバー３,３を握ることによって、入浴者の姿勢保持ができるものであり、また、２本の握りバー３,３にそれぞれ設けた水平突出部６,６間にカウンター天板５を架け渡して設置することで、カウンター天板５の固定が簡易にできると共に、カウンター天板５から水平突出部６にかかる荷重を握りバー３の上下両端部３ａ,３ｂで強固に且つ安定良く支持可能となる。
【００１０】
また、前記水平突出部６の前端部６ａから上方に向かって延び且つ下端側から上端側に行くほど壁面２に近づく方向に傾斜して風呂蓋７を斜めに載置できる長さ寸法Ｄを有する傾斜部４と、前記傾斜部４に沿わせて載置した風呂蓋７の下縁部を保持する突起部８とを設けるのが好ましく、この場合、風呂蓋７を使用しないときは、２本の握りバー３,３にそれぞれ設けた傾斜部４,４間に風呂蓋７を架け渡して斜めに載置できると共に風呂蓋７が滑り落ちないように突起部８にて保持できるようになる。
【００１１】
また、前記突起部８にシャワーヘッド９を引っ掛けるフック部１２を設けるのが好ましく、この場合、握りバー３にシャワーフック機能を追加できるようになる。
【発明の効果】
【００１２】
請求項１の発明においては、浴槽近くの壁面に取り付けられる２本の握りバーが、カウンターキャリアとしての機能を持つようになると共に、従来のようにカウンターキャリアを壁面に固定する手間が省けて施工が容易となり、しかも握りバーに対してカウンター天板が着脱自在であるので浴室内の清掃性が向上するものである。
【００１３】
また請求項２の発明においては、握りバーに更に風呂蓋収納機能を追加できると共に、従来のような風呂蓋を引っ掛けるためのハンガーを壁面から突出して設ける必要がなくなり、入浴感を損なわない良好な外観が得られるものである。
【００１４】
また請求項３の発明においては、握りバーに更にシャワーフック機能を持たせることができ、握りバーの多機能化を図ることができる。
【発明を実施するための最良の形態】
【００１５】
以下、本発明を添付図面に示す実施形態に基いて説明する。
【００１６】
システムバスルームのような浴室内の浴槽１近くの壁面２には、図１に示すように、浴槽１に出入りする入浴者が把持できる２本一組の握りバー３,３が左右方向Ｇに所定間隔Ｂをあけて取り付けられている。ここでは一方の握りバー３は浴槽１と洗い場との境界部分に対応する壁面２部分に取り付けられ、他方の握りバー３は洗い場に対応する壁面２部分に取り付けられている。
【００１７】
２本の握りバー３は同じ形状をしている。各々の握りバー３は、丸パイプ状或いは中実丸棒状のステンレス製金属で構成されている。なお、材質は金属に限定されず、合成樹脂或いは木材等であってもよい。
【００１８】
握りバー３は、その上下両端部３ａ,３ｂがそれぞれ壁面２に固定されており、下端部３ｂから上端部３ａに向かって、水平突出部６、垂直部４ａ、傾斜部４、湾曲部４ｂとが順に連続して形成されている。
【００１９】
水平突出部６は、洗い場の壁面下部から前方Ｆに向かって略水平に突出しており、カウンター天板５と略等しい奥行き寸法Ａを有している。また２本の握りバー３,３の間隔Ｂはカウンター天板５の横幅寸法Ｃ（図２（ｂ））よりも短く設定されており、これによりカウンター天板５を水平突出部６,６間に架け渡して水平状態で設置可能となっている。この水平突出部６は従来のカウンターキャリアとして機能する。図中の１３は水栓カランである。
【００２０】
前記水平突出部６の前端部６ａから上方に向かって垂直部４ａが立上り、さらに垂直部４ａの上端から折れ曲がって傾斜部４が連設されている。傾斜部４は、下端から上端側に行くほど壁面２に近づく方向に傾斜しており、本例では風呂蓋７（組蓋）をもたれさせるように載置できる長さ寸法Ｄを有している。また２本の握りバー３,３の間隔Ｂ（図１）は風呂蓋７の横幅寸法Ｅ（図３（ｂ））よりも短く設定されており、これにより風呂蓋７を傾斜部４,４間に架け渡して斜めにして収納可能となっている。さらに傾斜部４の下端と垂直部４ａとの折り曲げ部４ｃには、風呂蓋７が滑り落ちないように保持する凸状の突起部８が突設されており、これら傾斜部４と突起部８とが風呂蓋７を収納する機能を有する。
【００２１】
本例の突起部８には、シャワーヘッド９を引っ掛けるフック部１２が設けられている。このフック部１２の高さはカウンター天板５の前の椅子に腰掛けた入浴者に対してシャワー水の吐出方向が最適となるように設定されている。
【００２２】
しかして、浴槽１への出入りに際しては、両手で２本の握りバー３,３の一部、例えば、傾斜部４を握ることによって、入浴者は姿勢保持できるので、浴槽１への出入りがしやすくなる。特に、老人や病人，子供等の安全性に配慮でき、利便性がよくなる。
【００２３】
また、２本の握りバー３の下端部３ｂ側に設けた水平突出部６を利用して、図２（ａ）（ｂ）のようにカウンター天板５を設置したり、取り外したりできる。しかも設置状態では握りバー３の垂直部４ａの内側にカウンター天板５が収まる状態となるので、カウンター天板５を前後に動かないように固定でき、固定がきわめて簡易となる。しかも、握りバー３の上下両端部３ａ,３ｂはそれぞれ壁面２に固定されているため、カウンター天板５から水平突出部６にかかる荷重を握りバー３の上下２箇所で支えることができるので、カウンター天板５を強固に且つ安定良く設置できる構造となる。しかも、従来のようなカウンターキャリアを壁面に固定する必要がないため施工に手間がかからず、コストダウンを図れると共に、カウンター天板５の下にカウンターキャリアが存在しないためすっきりした外観となり、そのうえ清掃時には図２（ａ）のようにカウンター天板５を取り外すことで、浴室内の清掃性が大幅に向上する。
【００２４】
また清掃時などにおいては、図３（ｂ）のように風呂蓋７を傾斜部４にもたれさせた状態で収納保持できるので、握りバー３,３を風呂蓋７の置き場所としても使用可能となる。従って、従来のように浴槽１周りの壁面から風呂蓋７を引っ掛けるためのハンガー等を突設させる必要がなくなるため、安全であるうえに壁面がすっきりとして外観がよくなり、入浴感を損なわないようにできる。
【００２５】
また本例では、風呂蓋７の滑り落ちを防止するための突起部８に、シャワーヘッド９を引っ掛けて保持するためのフック部１２を設けているので、２本の握りバー３,３は、カウンターキャリア機能と風呂蓋収納機能、更にシャワーフック機能を併せ持つことになり、握りバー３の多機能化を図ることができるものである。
【００２６】
なお前記実施形態では突起部８を折り曲げ部４ｃに設けた場合を例示したが、これに限らず、例えば折り曲げ部４ｃに近い傾斜部４の下端側に設けてもよいものである。
【図面の簡単な説明】
【００２７】
【図１】本発明の一実施形態に用いる２本の握りバーの設置状態を説明する斜視図である。
【図２】（ａ）（ｂ）は同上の握りバーの水平突出部にカウンター天板を着脱可能にする場合を説明する斜視図である。
【図３】（ａ）は同上の風呂蓋を浴槽の上面開口に設置した状態を示し、（ｂ）は風呂蓋を握りバーの傾斜部に保持した状態を示す斜視図である。
【図４】（ａ）（ｂ）は従来のカウンターキャリアを用いてカウンター天板を支持する場合の説明図である。
【図５】従来の壁面に取り付けたハンガーによって風呂蓋を引っ掛けて保持する場合の説明図である。
【符号の説明】
【００２８】
１  浴槽
２  壁面
３  握りバー
３ａ  上端部
３ｂ  下端部
４  傾斜部
５  カウンター天板
６  水平突出部
７  風呂蓋
８  突起部
９  シャワーヘッド
１２  フック部
Ａ  奥行き寸法
Ｂ  握りバー間の間隔
【図１】
2009261626.tif 000003
【図２】
2009261626.tif 000004
【図３】
2009261626.tif 000005
【図４】
2009261626.tif 000006
【図５】
2009261626.tif 000007